(57)【要約】【課題】ダイバーシティ受信を行う通信機器に必要な２×２アンテナスイッチの構成を容易にする。【解決手段】送信時には送信機(Ｔｘ)と送受信アンテナ(Ａｎｔ１)、受信時には受信機(Ｒｘ)を送受信アンテナ(Ａｎｔ１)又は受信アンテナ(Ａｎｔ２)、を各々接続して使用する送受信機において、２×２スイッチの３つの経路、Ｒｘ−ＳＷ１−Ａｎｔ２、Ｔｘ−ＳＷ３−Ａｎｔ１、Ｒｘ−ＳＷ２−Ａｎｔ１を、２つの組に分類し、（Ｒｘ−ＳＷ１−Ａｎｔ２、Ｔｘ−ＳＷ３−Ａｎｔ１）と、Ｒｘ−ＳＷ２−Ａｎｔ１の各組を１組の相補的な制御信号（ＣＴＬ１、ＣＴＬ２）で制御する構成とし、３つの経路を１ビットの論理状態（式（１））で制御する。【数１】2008067161.tif 000004【選択図】  図１
2008067161.tif 000002
【特許請求の範囲】
【請求項１】
受信アンテナ端子と受信回路端子間の接続又は非接続を切り替える第１のスイッチと、
送受信アンテナ端子と送信回路端子間の接続又は非接続を切り替える第２のスイッチと、
前記受信回路端子と前記送受信アンテナ端子間の接続又は非接続を切り替える第３のスイッチと、
相補的な制御信号が入力される第１の制御端子及び第２の制御端子とを具備して成り、
前記第１の制御端子で前記第１のスイッチ及び前記第２のスイッチを制御し、前記第２の制御端子で前記第３のスイッチを制御し、前記制御信号が第１の状態において前記受信アンテナ端子と前記受信回路端子間及び前記送受信アンテナ端子と前記送信回路端子間を同時に接続状態とし、前記制御信号が第２の状態において前記受信アンテナ端子と前記受信回路端子間及び前記送受信アンテナ端子と前記送信回路端子間を同時に非接続状態とする
ことを特徴とするアンテナスイッチ装置。
【請求項２】
請求項１において、
１個の前記送受信アンテナ端子と、１個の前記受信アンテナ端子と、１個の前記送信回路端子と、１個の前記受信回路端子とを有する２×２マトリックス構成を具備して成り、
前記第１のスイッチと前記第２のスイッチ、及び前記第３のスイッチの各組を２論理状態で制御する
ことを特徴とするアンテナスイッチ装置。
【請求項３】
請求項１において、
１個の前記送受信アンテナ端子と、
２個の前記受信アンテナ端子と、
１個の前記送信回路端子と、
１個の前記受信回路端子と、
２個の前記受信アンテナ端子の各々と前記受信回路端子間の接続又は非接続を切り替える前記第１のスイッチ及び第４のスイッチと、
制御信号が入力される前記第１の制御端子、前記第２の制御端子、及び第３の制御端子を具備して成り、
前記第１のスイッチと前記第２のスイッチ、前記第３のスイッチ及び前記第４のスイッチの３組を３論理状態で制御する
ことを特徴とするアンテナスイッチ装置。
【請求項４】
請求項１において、
１個の前記送受信アンテナ端子と、
（ｎ−１）個の前記受信アンテナ端子と（但し、ｎ≧２）、
１個の前記送信回路端子と、
１個の前記受信回路端子と、
前記受信アンテナ端子の１つと前記受信回路端子間の接続又は非接続を切り替える前記第１のスイッチと、
前記送受信アンテナ端子と前記送信回路端子間の接続又は非接続を切り替える前記第２のスイッチと、
前記受信回路端子と前記送受信アンテナ端子間の接続又は非接続を切り替える前記第３のスイッチと、
前記（ｎ−１）個の受信アンテナ端子の残りの各端子と前記受信回路端子間の接続又は非接続を各々切り替える（ｎ−２）個の切り替えスイッチと、
前記各スイッチを個別に制御する制御信号がそれぞれ入力されるｎ個の前記制御端子を備えて成り、
ｎ個の論理状態で（ｎ＋１）個の前記各スイッチを制御する
ことを特徴とするアンテナスイッチ装置。
【請求項５】
請求項１において、
前記第１のスイッチを構成する第１の電界効果トランジスタと、前記第２のスイッチを構成する第２の電界効果トランジスタと、前記第３のスイッチを構成する第３の電界効果トランジスタとを有して成り、
前記第１の制御端子で前記第１の電界効果トランジスタと前記第２の電界効果トランジスタを制御し、前記第２の制御端子で前記第３の電界効果トランジスタを制御する
ことを特徴とするアンテナスイッチ装置。
【請求項６】
請求項１において、
前記第３のスイッチは、前記受信アンテナ端子と前記受信回路端子の間の経路上でかつ前記第１のスイッと前記受信回路端子の間の接続点と、前記送受信アンテナ端子と前記送信回路端子の間の経路上でかつ前記第２のスイッチと前記送受信アンテナ端子の間の接続点とをつなぐ経路上に設けられている
ことを特徴とするアンテナスイッチ装置。
【請求項７】
請求項１において、
第１の接続切り替え電界効果トランジスタが前記受信アンテナと前記受信回路端子間に接続され、
第２の接続切り替え電界効果トランジスタが前記送受信アンテナと前記送信回路端子間に接続され、
複数の第３の接続切り替え電界効果トランジスタが前記送受信アンテナと前記受信回路端子間に直列に接続され、
第４の電界効果トランジスタのソース電極が前記第２の電界効果トランジスタと前記送信回路端子間に接続され、
前記第４の電界効果トランジスタのドレイン電極が接地され、
第５の電界効果トランジスタのソース電極が直列接続された前記第３の電界効果トランジスタのソースとドレイン間のいずれかに接続され、
前記第５の電界効果トランジスタのドレイン電極が接地され、
第６の電界効果トランジスタのソース電極が前記第１の電界効果トランジスタと前記受信回路端子間に接続され、
前記第６の電界効果トランジスタのドレイン電極が接地され、
前記第１の電界効果トランジスタと第２の電界効果トランジスタと第５の電界効果トランジスタの各ゲート電極が前記第１の制御端子に接続され、
前記第３の電界効果トランジスタと第４の電界効果トランジスタと第６の電界効果トランジスタの各ゲート電極が前記第２の制御端子に接続され、
前記第１の制御端子と第２の制御端子に相補的な制御信号が与えられる
ことを特徴とするアンテナスイッチ装置。
【請求項８】
受信部と、送信部と、受信アンテナ及び送受信アンテナと前記受信部又は前記送信部間の接続／非接続を切り替えるアンテナスイッチ装置とを備えて成り、
前記アンテナスイッチ装置は、
受信アンテナ端子と受信回路端子間の接続又は非接続を切り替える第１のスイッチと、
送受信アンテナ端子と送信回路端子間の接続又は非接続を切り替える第２のスイッチと、
前記受信回路端子と前記送受信アンテナ端子間の接続又は非接続を切り替える第３のスイッチと、
相補的な制御信号が入力される第１の制御端子及び第２の制御端子とを具備して成り、前記第１の制御端子で前記第１のスイッチ及び前記第２のスイッチを制御し、前記第２の制御端子で前記第３のスイッチを制御し、
前記受信部は、受信時に電源がオンとなり送信時にオフとなる低雑音増幅器を備えて成り、
前記制御信号が第１の状態において前記受信アンテナ端子と前記受信回路端子間及び前記送受信アンテナ端子と前記送信回路端子間を同時に接続状態とし、前記制御信号が第２の状態において前記受信アンテナ端子と前記受信回路端子間及び前記送受信アンテナ端子と前記送信回路端子間を同時に非接続状態とする
ことを特徴とする送受信回路。
【請求項９】
請求項８において、
前記第３のスイッチは、前記受信アンテナ端子と前記受信回路端子の間の経路上でかつ前記第１のスイッと前記受信回路端子の間の接続点と、前記送受信アンテナ端子と前記送信回路端子の間の経路上でかつ前記第２のスイッチと前記送受信アンテナ端子の間の接続点とをつなぐ経路上に設けられている
ことを特徴とする送受信回路。
【請求項１０】
請求項８において、
前記アンテナスイッチ装置は、
１個の送受信アンテナ端子と、
１個の前記受信アンテナ端子と、
１個の送信回路端子と、
１個の受信回路端子とを有する２×２マトリックス構成を備えて成り、
前記第１のスイッチを構成する第１の電界効果トランジスタと、前記第２のスイッチを構成する第２の電界効果トランジスタと、前記第３のスイッチを構成する第３の電界効果トランジスタとを有し、
前記第１の制御端子で前記第１の電界効果トランジスタと前記第２の電界効果トランジスタを制御し、前記第２の制御端子で前記第３の電界効果トランジスタを制御する
ことを特徴とする送受信回路。
【請求項１１】
請求項１０において、
前記第１の電界効果トランジスタと前記第２の電界効果トランジスタの各々のゲートが抵抗素子を介して前記第１の制御端子に接続され、前記第３の電界効果トランジスタのゲートが抵抗素子を介して前記第２の制御端子に接続されて成る、
ことを特徴とする送受信回路。
【請求項１２】
請求項８において、
前記受信アンテナが接続される端子と前記受信回路が接続される端子間に、接続／非接続を切り替える第１の電界効果トランジスタが接続され、
前記送受信アンテナが接続される端子と前記送信回路が接続される端子間に、接続／非接続を切り替える第２の電界効果トランジスタが接続され、
前記送受信アンテナが接続される端子と前記受信回路が接続される端子間に、接続／非接続を切り替える複数個の第３の電界効果トランジスタが直列に接続され、
前記受信アンテナ端子とグランド間に第１のシャント用電界効果トランジスタが接続され、
前記送信回路端子とグランド間に第２のシャント用電界効果トランジスタが接続され、
前記複数個直列に接続された第３の電界効果トランジスタ間の少なくとも１箇所とグランドとの間に第３のシャント用電界効果トランジスタが接続され、
前記第１の制御端子で、前記第１の電界効果トランジスタと前記第２の電界効果トランジスタと前記第３のシャント用電界効果トランジスタの導通／非導通状態を制御し、
前記第２の制御端子で、前記複数の第３の電界効果トランジスタと前記第１のシャント用電界効果トランジスタと前記第２のシャント用電界効果トランジスタを導通／非導通状態を制御する
ことを特徴とする送受信回路。
【請求項１３】
請求項１２において、
前記第１の電界効果トランジスタのゲート及び前記第２の電界効果トランジスタのゲートが各々抵抗素子を介して前記第１の制御端子に接続され、
前記第３の電界効果トランジスタのゲート及び前記第４の電界効果トランジスタのゲートが各々抵抗素子を介して前記第２の制御端子に接続され、
前記第１のシャント用電界効果トランジスタのドレインは容量素子を介して接地され、前記第１のシャント用電界効果トランジスタのゲートは抵抗素子を介して接地され、前記第１のシャント用電界効果トランジスタのソースは抵抗素子を介して前記第１の制御端子に接続され、
前記第２のシャント用電界効果トランジスタのドレインは容量素子を介して接地され、前記第２のシャント用電界効果トランジスタのゲートは抵抗素子を介して接地され、第２のシャント用電界効果トランジスタのソースは抵抗素子を介して前記第１の制御端子に接続され、
前記第３の電界効果トランジスタのドレインと前記第４の電界効果トランジスタのソース間に前記第３のシャント用電界効果トランジスタのソースが容量素子を介して接続され、前記第３のシャント用電界効果トランジスタのドレインが容量を介して接地され、前記第３のシャント用電界効果トランジスタのゲートが抵抗素子を介して接地され、前記第３のシャント用電界効果トランジスタのソースが抵抗素子の第２の制御端子に接続されて成る
ことを特徴とする送受信回路。
【請求項１４】
受信部と、送信部と、受信アンテナ及び送受信アンテナと、前記各アンテナと前記受信部又は前記送信部間の接続／非接続を切り替えるアンテナスイッチ装置と、制御ユニットを備えて成り、
前記アンテナスイッチ装置は、
受信アンテナ端子と受信回路端子間の接続又は非接続を切り替える第１のスイッチと、
送受信アンテナ端子と送信回路端子間の接続又は非接続を切り替える第２のスイッチと、
前記受信回路端子と前記送受信アンテナ端子間の接続又は非接続を切り替える第３のスイッチと、
相補的な制御信号が入力される第１の制御端子及び第２の制御端子とを有して成り、
前記受信部は、低雑音増幅器を備えて成り、
前記制御ユニットは、送信時に前記受信部の低雑音増幅器の電源を切る機能を備えて成り、
前記制御信号が第１の状態において前記受信アンテナ端子と前記受信回路端子間及び前記送受信アンテナ端子と前記送信回路端子間を同時に接続状態とし、送受信前記制御信号が第２の状態において前記受信アンテナ端子と前記受信回路端子間及び前記送受信アンテナ端子と前記送信回路端子間を同時に非接続状態とする
ことを特徴とする無線通信機器。
【請求項１５】
請求項１４において、
前記アンテナスイッチ装置は、２本のアンテナと１つの受信アンテナ端子及び１つの送信回路端子間を接続する３つの経路を有する２×２マトリックス構成を備え、
前記制御ユニットは、前記第１のスイッチと前記第２のスイッチ、及び前記第３のスイッチの各組を１ビットの論理状態で制御する機能を備えて成る
ことを特徴とする無線通信機器。
【請求項１６】
請求項１４において、
前記アンテナスイッチ装置は、第１、第２のアンテナと１つの受信アンテナ端子及び１つの送信回路端子間を接続する３つの経路を有する２×２マトリックス構成を備え、
前記制御ユニットは、
第１のアンテナと前記受信部間および第２のアンテナと前記送信部間の各々を接続する第１の状態と第２のアンテナと前記受信部を接続する第２の状態の２つの状態を制御し、
前記第１のアンテナを用いた受信を前記第１の状態で行い、前記第２のアンテナを用いた受信を前記第２の状態で行い、送信を前記第１の状態で行い、ダイバーシティ受信を行う
ことを特徴とする無線通信機器。
【請求項１７】
請求項１４において、
前記制御ユニットは、３本のアンテナと１つの受信アンテナ端子及び１つの送信回路端子間を接続する４つの経路を、３つの制御信号で制御する機能を有して成る
ことを特徴とする無線通信機器。
【請求項１８】
請求項１４において、
前記アンテナスイッチ装置は、
１個の前記送受信アンテナ端子と、
（ｎ−１）個の前記受信アンテナ端子と（但し、ｎ≧２）、
１個の前記送信回路端子と、
１個の前記受信回路端子と、
前記受信アンテナ端子の１つと前記受信回路端子間の接続又は非接続を切り替える前記第１のスイッチと、
前記送受信アンテナ端子と前記送信回路端子間の接続又は非接続を切り替える前記第２のスイッチと、
前記受信回路端子と前記送受信アンテナ端子間の接続又は非接続を切り替える前記第３のスイッチと、
前記（ｎ−１）個の受信アンテナ端子の残りの端子と前記受信回路端子間の接続又は非接続を各々切り替える（ｎ−２）個の切り替えスイッチと、
前記各スイッチを個別に制御する制御信号がそれぞれ入力されるｎ個の前記制御端子を備えて成り、
前記制御ユニットは、ｎ個の論理状態で（ｎ＋１）個の前記各スイッチを制御する機能を有して成る
ことを特徴とする無線通信機器。
【請求項１９】
請求項１４において、
初期状態において前記アンテナスイッチ装置の各スイッチは前記第１の状態、前記送信部内の電力増幅器及び前記受信部の低雑音増幅器はオフ状態となっており、
送信時には前記送信部内の電力増幅器がオン状態に切り替えられ、送信が終了すると前記電力増幅器がオフ状態に切り替えられる
ことを特徴とする無線通信機器。
【請求項２０】
請求項１４において、
初期状態において前記アンテナスイッチ装置の各スイッチは前記第１の状態、前記送信部内の電力増幅器及び前記受信部の低雑音増幅器はオフ状態となっており、
受信時には、前記低雑音増幅器がオン状態に切り替えられ、選択ダイバーシティ処理に基づき受信用のアンテナを決定し、前記アンテナスイッチ装置を制御して受信を行い、受信が終了すると前記低雑音増幅器の電源がオフに切り替えられる
ことを特徴とする無線通信機器。
【発明の詳細な説明】
【技術分野】
【０００１】
本発明は、複数本のアンテナを備えこれらのアンテナの切り替えにより送受信を行う無線通信機器において、高周波信号の接続経路を切り替える高周波アンテナスイッチ装置に関するものである。
【背景技術】
【０００２】
第１および第２の２本のアンテナを備える無線通信機器においては、非特許文献１や特許文献１に示される構成の高周波アンテナスイッチ装置が提案されている。
【０００３】
非特許文献１においては、図１２に示すようなDPDT(Double Pole Double Throw)アンテナスイッチ装置が開示されている。DPDTアンテナスイッチ装置１００の第１の状態においては、制御回路１０４より制御端子１０７ａ、１０８ａに所定の制御信号を印加することで、受信回路端子１０５と第１のアンテナ端子１０５ａ間および送信回路端子１０６と第２のアンテナ端子１０６ａを接続し、同時に制御回路１０４より制御端子１０７ｂ、１０８ｂに所定の制御信号を印加することで、受信回路端子１０５と第２のアンテナ端子１０６ｂ間および送信回路端子１０６と第１のアンテナ端子１０５ｂ間を非接続とする。第１のアンテナ１０１ａを用いて受信を行う場合には、DPDTアンテナスイッチ装置１００を第１の状態として第１のアンテナ１０１ａと受信回路１０２を接続し他の高周波経路と絶縁することで、第１のアンテナで受信した高周波信号が受信回路１０２に入力される。
【０００４】
特許文献１には、２×２マトリックスアンテナスイッチ装置を適用した無線通信機器が開示されており、このような２×２マトリックスアンテナスイッチ装置２００の端子２０１ａを第１のアンテナに、端子２０１ｂを第２のアンテナに、端子２０２を受信回路に、端子２０３を送信回路に接続することで、第１および第２の状態を用いダイバーシティ受信を行う事が出来、第２の状態を用いる事で送信を行う事が出来る。
【０００５】
【特許文献１】特開２００３−２７３７６９号公報
【非特許文献１】IEEE Journal of Solid-State Circuits Vol.31, No.10, 1996
【発明の開示】
【発明が解決しようとする課題】
【０００６】
複数のアンテナを備えた無線通信機器は、各アンテナの受信回路との接続を切り替えて受信信号レベルが最も高くなるアンテナを用いて受信するダイバーシティ受信技術を用いることで、マルチパス環境下においてもフェージング効果を抑制して受信信号レベルの改善を実現している。ダイバーシティ受信を行う無線通信機器においては、各アンテナと受信回路との接続を切り替える必要があり、切り替えには高周波アンテナスイッチ装置が使用されている。
【０００７】
このようなアンテナと送受信回路の接続を切り替えるアンテナスイッチ装置では、電界効果トランジスタ、特に導通時の抵抗成分が小さい高電子移動度トランジスタ(HEMT)などを用い、ゲートとソース及びドレイン間の電位差を制御することで、ソースとドレイン間の抵抗値を変化させ接続状態と非接続状態とを切り替えている。
【０００８】
ダイバーシティ受信を行う無線通信端末に用いられるフロントエンドモジュールにおいては、モジュール内で不要な伝送線路の交差を無くしモジュールレイアウトを容易にするために、また、送信回路１０３内の電力増幅器で発生した大電力信号が直接アンテナ１０１ａおよび１０１ｂを通して空間に送信されるのを防ぐために、複数のアンテナ同士を隣り合わせ一つの面に配置し、その反対側の面に送信回路と受信回路を隣り合わせに配置する事が望ましい。
【０００９】
従って、非特許文献１に開示されているDPDTアンテナスイッチ装置を採用した方式では、DPDTアンテナスイッチ装置１００の内部で伝送線路の交差１０９が形成される事が求められている。
【００１０】
このようなDPDTアンテナスイッチ装置では、伝送線路の交差は伝送線路間に容量が等価的に接続されていると表現でき、高周波信号は容量を通して結合する。そのため、アンテナスイッチ装置の端子間の挿入損失やアイソレーション特性が劣化する。トランジスタを用いたDPDTアンテナスイッチ装置において伝送線路の交差部分の容量を小さくするには、特殊なプロセスが必要であり、標準的なプロセスを用いるよりも製造コストが増大するという欠点を持っており、高性能かつ低コストのアンテナスイッチ装置を提供する事が困難である。
【００１１】
特許文献１に開示されている発明は、２×２マトリックスアンテナスイッチ装置を簡易に構成しつつアイソレーション特性の向上を実現するものである。
【００１２】
図１３に特許文献１に開示された２×２マトリックスアンテナスイッチ装置２００の構成を示し、図１４にその動作状態を示す。各制御端子２１４〜２１８から抵抗素子２０９〜２１３を介して各電界効果トランジスタ２０４〜２０８のゲートに制御電圧を印加することにより、ソースとドレイン間を導通状態もしくは非導通状態とする。第１の状態では、電界効果トランジスタ２０４が導通状態であり、電界効果トランジスタ２０６およびシャント用電界効果トランジスタ２０７が非導通状態であるために、受信アンテナ端子２０１ａと受信回路端子２０２間は高周波信号が低損失で通過する。また、接続点Ｚ１、Ｚ２間で非導通となっている電界効果トランジスタ２０６を漏洩した高周波信号は、導通状態の電界効果トランジスタ２０５、接続点Ｚ４、シャント用電界効果トランジスタ２０８を通して接地され、受信回路端子２０２と送受信アンテナ端子２０１ｂ間のアイソレーションを高める事が可能となっている。
【００１３】
第２の状態では、接続点Ｚ１、Ｚ２間の電界効果トランジスタ２０６が導通状態であり、電界効果トランジスタ２０４および電界効果トランジスタ２０５が非導通状態であるために、送受信アンテナ端子２０１ｂと受信回路端子２０２間は高周波信号が低損失で通過する。また、非導通となっている電界効果トランジスタ２０４を漏洩した高周波信号は、接続点Ｚ３から導通状態のシャント用電界効果トランジスタ２０７を通して接地され、受信アンテナ端子２０１ａと受信回路２０２間のアイソレーションを高め、非導通となっている電界効果トランジスタ２０５を漏洩した高周波信号は、導通状態のシャント用電界効果トランジスタ２０８を通して接地され、送受信アンテナ端子２０１ｂと送信回路端子２０３間のアイソレーションを高める事が可能となっている。
【００１４】
第３の状態では、電界効果トランジスタ２０５が導通状態であり、電界効果トランジスタ２０６およびシャント用電界効果トランジスタ２０８が非導通状態であるために、送受信アンテナ端子２０１ｂと送信回路端子２０３間は高周波信号が低損失で通過する。また、非導通となっている電界効果トランジスタ２０６を漏洩した高周波信号は、導通状態の電界効果トランジスタ２０４、接続点Ｚ３、シャント用電界効果トランジスタ２０７を通して接地され、受信回路端子２０２と送受信アンテナ端子２０１ｂ間のアイソレーションを高める事が可能となっている。
【００１５】
ところで、安価なアンテナスイッチ装置を実現する為には、アンテナスイッチ装置チップの面積を低減する事が有効である。  
しかしながら、スイッチ特性を低下させずに半導体素子などのサイズ低減には限界がある。前記DPDTアンテナスイッチ装置を採用すると、チップ面積低減によるアンテナスイッチ装置のコスト低減が困難であるという課題があった。
【００１６】
一方、ダイバーシティ受信を行う無線通信装置に用いられる２×２マトリックスアンテナスイッチ装置２００は、図１４から明らかな通り、３つの接続状態を切り替える高周波アンテナスイッチ装置である。そのため、各接続経路を切り替える制御系が３個必要であり、外部より金線等を用いて３つの制御信号が加えるための制御信号用の接続パッドが３個必要である。このパッドが占める面積を低減することも、コスト低減のための課題であった。
【００１７】
本発明の主たる解決課題は、ダイバーシティ受信を行う通信機器に必要な高周波スイッチ装置の構成をより簡素なものとすることにある。
【課題を解決するための手段】
【００１８】
本発明の代表的なものの一例を示せば以下の通りである。即ち、本発明のアンテナスイッチ装置は、受信アンテナ端子と受信回路端子間の接続又は非接続を切り替える第１のスイッチと、送受信アンテナ端子と送信回路端子間の接続又は非接続を切り替える第２のスイッチと、前記受信回路端子と前記送受信アンテナ端子間の接続又は非接続を切り替える第３のスイッチと、相補的な制御信号が入力される第１の制御端子及び第２の制御端子とを具備して成り、
前記第１の制御端子で前記第１のスイッチ及び前記第２のスイッチを制御し、前記第２の制御端子で前記第３のスイッチを制御し、前記制御信号が第１の状態において前記受信アンテナ端子と前記受信回路端子間及び前記送受信アンテナ端子と前記送信回路端子間を同時に接続状態とし、前記制御信号が第２の状態において前記受信アンテナ端子と前記受信回路端子間及び前記送受信アンテナ端子と前記送信回路端子間を同時に非接続状態とすることを特徴とする。
【発明の効果】
【００１９】
本発明によれば、アンテナスイッチ装置内のパッド部分の面積を削減でき、また、実装に用いる金線の本数を減らすことも可能であり、ダイバーシティ受信を行う通信機器に必要な高周波スイッチ装置の製造および実装コストの低減を実現できる。
【発明を実施するための最良の形態】
【００２０】
本発明は、ダイバーシティ受信を行う無線通信機器に用いるアンテナスイッチ装置において、低コストで実現可能となる手段を提供する。本発明を実施するための最良の形態は、以下の実施例に基づいて詳細に説明する。
【００２１】
電界効果トランジスタをスイッチ素子に用いる時にはソースとドレインの役割に差は無く、逆に接続しても動作は変わらないが、以下の説明では便宜上ソースとドレインの区別をする。また以下の説明では、閾値が負の値であり、ソースに対するゲート電位が閾値以上でソースとドレイン間が低抵抗となり、ソースに対するゲート電位が閾値以下でソースとドレイン間が高抵抗となるディプレッション型電界効果トランジスタを想定して説明をする。しかしながら、本発明はディプレッション型電界効果トランジスタを用いた構成に限らず、エンハンスメント型電界効果トランジスタやその他のトランジスタを用いて構成してもよい。
【実施例１】
【００２２】
本発明の第１の実施例になるアンテナスイッチ装置を、図１ないし図５で説明する。  
図１は、本発明の第１の実施例になるアンテナスイッチ装置を示す回路図である。図１において、受信アンテナが接続される受信アンテナ端子１aと第１のスイッチ（第１の電界効果トランジスタ）４のソースが接続され、受信回路が接続される受信回路端子２と第１の電界効果トランジスタ４のドレインが接続され、第１の電界効果トランジスタ４のゲートは抵抗素子７介して第１の制御端子１０に接続されている。送受信アンテナが接続される送受信アンテナ端子１bと第２のスイッチ（第２の電界効果トランジスタ）５のソースが接続され、送信回路が接続される送信回路端子３と第２の電界効果トランジスタ５のドレインが接続され、第２の電界効果トランジスタ５のゲートは抵抗素子８を介して第１の制御端子１０に接続される。送受信アンテナが接続される送受信アンテナ端子１bと第３のスイッチ（第３の電界効果トランジスタ）６のソースが接続され、受信回路が接続される受信回路端子２と第３の電界効果トランジスタ６のドレインが接続され、第３の電界効果トランジスタ６のゲートは抵抗素子９を介して第２の制御端子１１に接続されている。換言すると、第３のスイッチ６は、受信アンテナ端子１ａと受信回路端子２の間の経路上でかつ第１のスイッ４と受信回路端子２の間の接続点Ｐ１と、送受信アンテナ端子１bと送信回路端子３の間の経路上でかつ第２のスイッチ５と送受信アンテナ端子１bの間の接続点Ｐ２とをつなぐ経路上に設けられている。
【００２３】
抵抗素子７、８および９は制御線と高周波信号とを絶縁するための素子であり、この目的を満たせば図１の接続の仕方に限らず他の手段を用いても本発明を実現できる。また、各電界効果トランジスタは複数段直列に接続してもよい。
【００２４】
図２は、本発明の第１の実施例を採用した２×２マトリックアンテナスイッチ装置を備えた無線通信機器の構成例を示した図である。本実施例の２×２マトリックアンテナスイッチ装置１２は、制御回路１５から各制御端子に所定の信号を印加することで、受信アンテナ１６ａが接続される受信アンテナ端子（１ａ）と受信回路１３が接続される受信回路端子（２）が第１のスイッチ（電界効果トランジスタ）４を介して接続される。また、送受信アンテナ１６ｂが接続される送受信アンテナ端子（１ｂ）と送信回路１４が接続される送信回路端子（３）とが第２のスイッチ（電界効果トランジスタ）５を介して接続される。さらに、送受信アンテナ１６ｂが接続される送受信アンテナ端子（１ｂ）と受信回路１３が接続される受信回路端子（２）とが第３のスイッチ（電界効果トランジスタ）６を介して接続される。
【００２５】
次に、図３で、本発明の第１の実施例の動作状態を説明する。図３Ａは、第１のアンテナスイッチ装置１２の回路構成を示す模式図であり、図３Ｂは、第１の実施例の動作時の各要素の状態を示す図である。
【００２６】
本発明の第１の実施例によれば、２×２スイッチの３つの経路、Ｒｘ−ＳＷ１−Ａｎｔ２(受信アンテナ端子１ａ)、Ｔｘ−ＳＷ２−Ａｎｔ１(送受信アンテナ端子１ｂ)、Ｒｘ−ＳＷ３−Ａｎｔ１を、２つの組（（Ｒｘ−ＳＷ１−Ａｎｔ２、及びＴｘ−ＳＷ２−Ａｎｔ１）と、Ｒｘ−ＳＷ３−Ａｎｔ１）に分類し、各組を１組の相補的な制御信号（例えば式（１））、すなわち２状態の中で互に相異なる関係の制御信号ＣＴＬ１、ＣＴＬ２で制御する構成としている。
【００２７】
【数１】
2008067161.tif 000003
【００２８】
これにより、以下に述べるように、３つの経路を１ビットの論理状態（式（１））で制御することができる。
【００２９】
すなわち、本実施例の２×２アンテナスイッチ装置は、以下に示す２つの状態をとる。  
第１の状態では、制御端子１０には制御信号Ｈ（例えば３Ｖ）が、制御端子１１には制御信号（ＣＴＬ）としてＬ（例えば０Ｖ）が印加される。この時、抵抗素子７を介して第１のスイッチＳＷ１（第１の電界効果トランジスタ４のゲート）に制御信号Ｈが印加され、抵抗素子８を介して第２のスイッチＳＷ２（第２の電界効果トランジスタ５のゲート）に制御信号Ｈが印加され、抵抗素子９を介して第３のスイッチＳＷ３（第３の電界効果トランジスタ６のゲート）に制御信号Ｌが印加さる。電界効果トランジスタのゲートはＰＮ接合もしくはショットキー接合により形成されており、順方向と逆方向にバイアスされた接合が直列に接続されるために、各電界効果トランジスタのソースおよびドレインは制御信号Ｈに近い電圧（例えば２.５Ｖ）となる。従って、ゲートにＨが印加された第１と第２のスイッチはその電界効果トランジスタ４及び５のゲートがソースに対して正にバイアスされるため、ソースとドレイン間が低抵抗となり接続状態となり、ゲートにＬが印加された電界効果トランジスタ（第３のスイッチ）６はゲートがソースに対して閾値よりも負の値にバイアスされる。そのため電界効果トランジスタ６はソースとドレイン間が高抵抗となり非接続状態となる。従って、第１の状態においては、受信アンテナ端子（Ａｎｔ１）１ａと受信回路端子（Ｒｘ）２が接続され、送受信アンテナ端子（Ａｎｔ２）１ｂと送信回路端子（Ｔｘ）３が接続される。すなわち、図３Ｂに示すように、（Ａｎｔ１−Ｔｘ）と（Ａｎｔ２−Ｒｘ）がオン、（Ａｎｔ１−Ｒｘ）がオフとなる。換言すると、３組の経路を１ビットの論理状態（式（１））で制御することができる。
【００３０】
次に、第２の状態では、抵抗素子７を介して第１のスイッチＳＷ１（電界効果トランジスタ４のゲート）に制御信号Ｌが印加され、抵抗素子８を介して第２のスイッチＳＷ２（電界効果トランジスタ５のゲート）に制御信号Ｌが印加され、抵抗素子９を介して第３のスイッチＳＷ３（電界効果トランジスタ６のゲート）に制御信号Ｈが印加さる。この時、第１と第２の電界効果トランジスタ４および５のソースとドレイン間が高抵抗となり非接続状態となり、第３の電界効果トランジスタ６のソースとドレイン間が低抵抗となり接続状態となる。従って、この時は送受信アンテナ１ｂと受信回路端子２が接続される。すなわち、図３Ｂに示すように、（Ａｎｔ１−Ｔｘ）と（Ａｎｔ２−Ｒｘ）がオフ、（Ａｎｔ１−Ｒｘ）がオンとなる。換言すると、３組の経路を１ビットの論理状態（式（１））で制御することができる。
【００３１】
受信アンテナ１６ａを用いて受信を行う時には、受信アンテナ端子１ａと受信回路端子２が接続され、送受信アンテナ端子１ｂと受信回路端子２が非接続されている必要があり、状態１を用いて行う。送受信アンテナ１６ｂを用いて受信を行う時には、送受信アンテナ端子１ｂと受信回路端子２が接続され、受信アンテナ端子１ａと受信回路端子２が非接続であり、かつ、送受信アンテナ端子１ｂと送信回路端子３も非接続である必要があり、状態２を用いて行う。送受信アンテナ１６ｂを用いて送信を行う時には、送受信アンテナ端子１ｂと送信回路端子３が接続され、送受信アンテナ端子１ｂと受信回路端子２は非接続である必要があり、状態１を用いて行う。
【００３２】
本発明の第１の実施例によれば、２×２スイッチの３つの経路を２つの組に分類し、２個の制御端子を用いて、各組を、１ビットの論理状態で制御することができる。１ビットで制御するための論理回路はインバータを使って作ることができる。
【００３３】
本発明のスイッチ装置を用いた送受信機のフロントエンド部５０は、例えば図４のような構成となっている。
【００３４】
フロントエンド部５０は、受信部５６と、送信部５７と、ＡＮＴスイッチ装置１２及び制御ユニットを備えており、これらは、単一若しくは複数ブロックのＩＣ回路として構成されている。制御ユニットは、モデム５８、ベースバンド処理部５９、インターフェース６０、メモリ６１を備えている。なお、これらの回路要素は、機能に基づく区分の一例を示したものであり、実際の回路は、これらの要素を幾つかに集約しあるいは再分化したＩＣ回路として、構成される。例えば、ＡＮＴスイッチ装置１２と、受信部５６と、送信部５７とが、送受信回路として１つのＩＣ回路に集約される。
【００３５】
ＡＮＴスイッチ１２は、受信部５６及び送信部５７とアンテナ１６ａ，１６ｂの間に配置され、アンテナ端子１ａ、１ｂ、受信回路端子２、送信回路端子３、スイッチＳＷ１、ＳＷ２、ＳＷ３及び２個の制御端子（図示略）を備えている。
【００３６】
ＡＮＴスイッチ１２において、２×２スイッチの３つの経路は２つの組に分類され、２個の制御端子をアンテナ制御信号により切り替え、アンテナ１６ａ，１６ｂの中で指定されたアンテナを用いてＲＦ信号の送受信を行う機能、およびアンテナ制御信号で指定されたアンテナの使用を中止する機能を有している。
【００３７】
受信部（ＲＸ−Ｆ／ＬＮＡ）５６は、フィルタ及び低雑音増幅器(Low Noise Amplifier)を含んでいる。送信部（ＴＸ−Ｆ／ＰＡ）５７は、フィルタ（Ｆ）および電力増幅器（ＰＡ）を含んでいる。
【００３８】
制御ユニットのモデム５８は、ベースバンド処理部５９からのＩ／Ｑ信号が変調されたＩＦ信号をＲＦ信号に変換して送信部５７に送出する機能を有する。また、受信部５６で受信されたＲＦ信号をＩＦ信号に復調し、このＩＦ信号をさらにＩ／Ｑ信号に復調する機能を有する。６０はフロントエンド部５０と外部とのインターフェースである。
【００３９】
ベースバンド処理部５９は、送信信号をＩ／Ｑ信号に変調してモデム５８に送出すると共に、モデム５８からのＩ／Ｑ信号を復調する機能を有する。また、ベースバンド処理部５９は、メモリ６１に格納されているアンテナ制御情報に基づいて、アンテナ１６ａ，１６ｂをIsolationレベルの低い順に順次使用停止するアンテナ切断処理を実行し、ＡＮＴスイッチ１２の制御端子にアンテナ制御信号を供給することによって、使用中止すべきアンテナを指示する。
【００４０】
ベースバンド処理部５９は、送信時に送信部５７内の電力増幅器（ＰＡ）をオンにする機能を備えている。なお、送信時にはアンテナの１６ａ，１６ｂ間の結合により送信電力がＡＮＴスイッチ１２の受信回路端子にも伝達する。そこで、ベースバンド処理部５９は、送信時に、受信部５６のＬＮＡの誤動作/破壊を防ぐ為にＬＮＡの電源を切るための制御信号を出力する機能を備えている。
【００４１】
また、アンテナ制御信号は、ダイバーシティ方式を実現するために、ベースバンド処理部５９で受信時に送信アンテナ／受信アンテナを選択する処理を行うための信号としても利用される。ダイバーシティ方式では、受信信号の品質を向上するために二つ以上のアンテナから受信された各信号を適切に選択又は合成することで、既存のアンテナを一つだけ使用する場合よりも受信信号の品質を向上することができる。例えば、選択ダイバーシティ技法によれば、複数のアンテナから受信された信号中最も強い信号を選択的に受信することで、受信信号の品質を確保することができる。
【００４２】
本発明のスイッチ装置を用いた送受信機のフロントエンド部５０の動作を、図５のフローチャートで説明する。
【００４３】
送受信機は、初期状態において各部が所定の状態に設定されている(S５００)。例えば、初期状態においてアンテナスイッチ装置１２の各スイッチは前記第１の状態、送信部５７内の電力増幅器ＰＡ及び受信部５６の低雑音増幅器(ＬＮＡ)はオフ状態となっている。
【００４４】
送受信機が送信を行う時(S５０１)には、ベースバンド処理部５９によりＳＷ送信モード(Ｔｘ−Ａｎｔ１)に制御される(S５０３)。このとき、アンテナスイッチ装置１２は、受信回路端子２と受信アンテナ端子１ａ間、及び送信回路端子３と送受信アンテナ端子１ｂ間が接続された状態となっている。また、送信部５７内の電力増幅器ＰＡがオン状態に切り替えられる(S５０４)。この状態で、送信部５７−送信回路端子３−スイッチＳＷ２−送受信アンテナ１６ｂの経路により、データの送信が行われる(S５０５)。すなわち、データ情報を含むＩ／Ｑ信号がベースバンド処理部５９からモデム５８を経てＩＦ信号に変換されさらにＲＦ信号に変調されて送信部５７に送出され、送信部５７内の電力増幅器ＰＡで増幅され、ＲＦ信号に対応する電力としてアンテナスイッチ装置１２を通過し送受信アンテナ１６ｂより空間に放出される。このとき、この電力の一部は受信アンテナ１６ａで受信され、オン状態にあるアンテナスイッチ装置１２の受信アンテナ端子１ａ−スイッチＳＷ１−受信回路端子２の経路を通過して受信部５６の低雑音増幅器(ＬＮＡ)に入力される。この電力により、受信部５６が誤動作する可能性があり、また、電力が大きい場合には低雑音増幅器が破壊される可能性もある。ところが、送信時には受信部５６内の低雑音増幅器(ＬＮＡ)の電源が切られているために、このような送信部５７から受信アンテナ１６ａ−スイッチＳＷ１−受信回路端子２の経路を経て受信部５６に回り込む電力による誤動作および破壊に関しては問題がなく送受信機は動作する。送信が終了すると、送信部５７内の電力増幅器ＰＡはオフとなる(S５０６)。
【００４５】
次に、送受信機が受信を行う時(S５０２)には、ベースバンド処理部５９によりＰＡ受信部５６の低雑音増幅器(ＬＮＡ)がオン状態に切り替えられ(S５０７)。なお、送信部５７内の電力増幅器ＰＡはオフ状態にある。また、ベースバンド処理部５９は、選択ダイバーシティ処理に基づき受信用のアンテナを決定する。まず、アンテナスイッチ装置１２をＳＷ受信モード(Ｒｘ−Ａｎｔ１)に制御して受信を行う(S５０８)。このとき、アンテナスイッチ装置１２は、受信回路端子２と受信アンテナ端１２ａ間、及び送信回路端子３と送受信アンテナ端子１ｂ間が接続された状態となっている。次に、アンテナスイッチ装置１２をＳＷ受信モード(Ｒｘ−Ａｎｔ２)に制御して受信を行う(S５０９)。このとき、アンテナスイッチ装置１２は、受信回路端子２と送受信アンテナ端子１ｂ間がオン状態、送信回路端子３と送受信アンテナ端子１ｂ間及び受信回路端子２と受信アンテナ端子１ａ間がオフ状態となっている。選択ダイバーシティ処理では、アンテナスイッチ装置１２を通過したＳＷ受信モード１(Ｒｘ−Ａｎｔ１)及びＳＷ受信モード２(Ｒｘ−Ａｎｔ２)の各受信信号を再生して、それらの受信信号の瞬時レベルを出力し、各受信信号の瞬時レベルと予め設定された基準レベルとを比較し、その比較結果に基づいて、受信アンテナ１ａ、１ｂのいずれを使用して受信するかを決定し、スイッチ装置１２の状態を制御する(S５１０)。すなわち、特定のアンテナから受信された信号の強度が所定基準レベルより小さいと受信信号が強い他のアンテナにスイッチングする。このようにして、受信アンテナ１６ａ、１６ｂのいずれかでデータを受信し(S５１１)、受信が終了したら、受信部５６内の低雑音増幅器(ＬＮＡ)の電源をオフとし(S５１２)、アンテナスイッチ装置１２の各スイッチを前記第１の状態に戻す。
【００４６】
以上のように、本実施例の２×２マトリックススイッチ装置を用いることでダイバーシティ受信および送信を行う事が出来、この２×２マトリックススイッチ装置は安価に作製する事が可能である。すなわち、本実施例は従来例と比較して、次のような効果がある。
【００４７】
（１）制御系１個につき制御線と制御端子が必要であり、新しい構成の２×２アンテナスイッチではこれらを削除する事ができ、従来の２×２アンテナスイッチと比較してチップサイズ低減が出来る。また、制御線が減る為に、外部とのワイヤーボンディングを１本削減できる為、実装コストも低減可能である。一例として、面積は約５％低減となるが、コスト低減効果はより大きなものとなる。
【００４８】
（２）DPDTアンテナスイッチとの比較
DPDTアンテナスイッチと比較して、２×２アンテナスイッチは伝送線路に交差がない為に、スイッチの特性（アイソレーション、損失）が改善される。また、２×２アンテナスイッチの方が、接続経路が１個少ない為に、チップサイズ低減が出来る。
【実施例２】
【００４９】
本発明の第２の実施例になるアンテナスイッチ装置を、図６ないし図７で説明する。  
図６が本発明の第２の実施例になるアンテナスイッチ装置を示す図である。受信アンテナが接続される受信アンテナ端子２１ａと第１の電界効果トランジスタ２４のソースとが接続され、受信回路が接続される受信回路端子２２と第１の電界効果トランジスタ２４のドレインとが接続され、第１の電界効果トランジスタ２４のゲートは抵抗素子３１を介して第１の制御端子３８に接続される。送受信アンテナが接続される送受信アンテナ端子２１ｂと第２の電界効果トランジスタ２５のソースとが接続され、送信回路が接続される送信回路端子２３と第２の電界効果トランジスタ２５のドレインとが接続され、第２の電界効果トランジスタ２５のゲートは抵抗素子３２を介して第１の制御端子３８に接続される。
【００５０】
送受信アンテナが接続される送受信アンテナ端子２１ｂと第３の電界効果トランジスタ２６のソースとが接続され、第３の電界効果トランジスタ２６のドレインと第４の電界効果トランジスタ２７のソースとが接続される。また、受信回路が接続される受信回路端子２と第４の電界効果トランジスタ２７のドレインとが接続され、第３の電界効果トランジスタ２６のゲートは抵抗素子３３を介して第２の制御端子３９に接続され、第４の電界効果トランジスタ２７のゲートは抵抗素子３４を介して第２の制御端子３９に接続される。
【００５１】
受信アンテナ端子２１ａと第１の電界効果トランジスタ２４のソース間の接続点Ｐ３に第１のシャント用電界効果トランジスタ２８のソースが接続され、第１のシャント用電界効果トランジスタ２８のドレインは接地され、第１のシャント用電界効果トランジスタ２８のゲートは抵抗素子３５を介して第２の制御端子３９に接続される。送信回路端子２３と第２の電界効果トランジスタ２５のドレイン間の接続点Ｐ４に第２のシャント用電界効果トランジスタ２９のソースが接続され、第２のシャント用電界効果トランジスタ２９のドレインは接地され、第２のシャント用電界効果トランジスタ２９のゲートは抵抗素子３６を介して第２の制御端子３９に接続される。
【００５２】
第３の電界効果トランジスタ２６のドレインと第４の電界効果トランジスタ２７のソース間に第３のシャント用電界効果トランジスタ３０のソースが接続され、第３のシャント用電界効果トランジスタ３０のドレインは接地され、第３のシャント用電界効果トランジスタ３０のゲートは抵抗素子３７を介して第１の制御端子３８に接続される。
【００５３】
本実施例の２×２マトリックスアンテナスイッチ装置も、図４に示したようなフロントエンド部を有する送受信機に適用される。送信時には、受信部のＬＮＡの誤動作/破壊を防ぐ為にＬＮＡの電源が切断される。なお、本発明の２×２マトリックスアンテナスイッチ装置において、抵抗素子３１〜３７は制御線と高周波信号とを絶縁するための素子であり、この目的を満たせば図４の接続の仕方に限らず、本実施例は有効である。また、各電界効果トランジスタは複数段直列に接続してもよい。
【００５４】
次に、図７で本発明の第２の実施例の動作状態を説明する。図７Ａは、第２の実施例の動作状態を示す図であり、図７Ｂは、第２の実施例の動作時の各要素の状態を示す図である。
【００５５】
本実施例の２×２アンテナスイッチ装置は、図７Ｂに示すように、２つの状態をとる。第１の状態では、制御端子３８には制御信号（ＣＴＬ１）としてＨ（例えば３Ｖ）が、制御端子３９には制御信号（ＣＴＬ２）としてＬ（例えば０Ｖ）が印加される。この時、抵抗素子３１を介して第１の電界効果トランジスタ２４（Ｑ１）のゲートに制御信号（ＣＴＬ１）Ｈが印加され、抵抗素子３２を介して第２の電界効果トランジスタ２５（Ｑ２）のゲートに制御信号（ＣＴＬ１）Ｈが印加され、抵抗素子３３を介して第３の電界効果トランジスタ２６（Ｑ３ａ）のゲートに制御信号（ＣＴＬ２）Ｌが印加され、抵抗素子３４を介して第４の電界効果トランジスタ２７（Ｑ３ｂ）のゲートに制御信号Ｌが印加される。
【００５６】
さらに、抵抗素子３５を介して第１のシャント用電界効果トランジスタ２８（Ｑ６）のゲートに制御信号Ｌが印加される。また、抵抗素子３６を介して第２のシャント用電界効果トランジスタ２９（Ｑ４）のゲートに制御信号Ｌが印加され、抵抗素子３７を介して第３のシャント用電界効果トランジスタ３０（Ｑ５）のゲートに制御信号Ｈが印加される。
【００５７】
これにより、第１および第２の電界効果トランジスタ２４（Ｑ１）、２５（Ｑ２）、および第３のシャント用電界効果トランジスタ３０（Ｑ５）のソースとドレイン間を低抵抗となりソースとドレインは接続となり、第３および第４の電界効果トランジスタ２６（Ｑ３ａ）、２７（Ｑ３ｂ）、および第１と第２のシャント用電界効果トランジスタ２８（Ｑ６）、２９（Ｑ４）のソースとドレイン間が高抵抗となりソースとドレインは非接続となる。
【００５８】
この時、受信アンテナ端子２１ａと受信回路端子２２（Ａｎｔ２−Ｒｘ）が接続され、送受信アンテナ端子２１ｂと送信回路端子２３（Ａｎｔ１−Ｔｘ）が接続される。受信回路端子２２と送受信アンテナ端子２１ｂ（Ａｎｔ１−Ｒｘ）は非接続となっているが、第３のシャント用電界効果トランジスタ３０（Ｑ５）が接続状態となっており、非接続となっている受信回路端子２２と送受信アンテナ端子２１ｂ間に漏れた高周波信号は接地され、受信回路端子２２と送受信アンテナ端子２１ｂ間では高アイソレーション特性を得る事が出来る。
【００５９】
第２の状態では、制御端子３８には制御信号Ｌ（例えば０Ｖ）が、制御端子３９には制御信号Ｈ（例えば３Ｖ）が印加される。この時、抵抗素子３１を介して第１の電界効果トランジスタ２４（Ｑ１）のゲートに制御信号Ｌが印加され、抵抗素子３２を介して第２の電界効果トランジスタ２５（Ｑ２）のゲートに制御信号Ｌが印加され、抵抗素子３３を介して第３の電界効果トランジスタ２６（Ｑ３ａ）のゲートに制御信号Ｈが印加され、抵抗素子３４を介して第４の電界効果トランジスタ２７（Ｑ３ｂ）のゲートに制御信号Ｈが印加される。また、抵抗素子３５を介して第１のシャント用電界効果トランジスタ２８（Ｑ６）のゲートに制御信号Ｈが印加され、抵抗素子３６を介して第２のシャント用電界効果トランジスタ２９（Ｑ４）のゲートに制御信号Ｈが印加され、抵抗素子３７を介して第３のシャント用電界効果トランジスタ３０（Ｑ５）のゲートに制御信号Ｌが印加される。
【００６０】
これにより、第１および第２の電界効果トランジスタ２４（Ｑ１）、２５（Ｑ２）、および第３のシャント用電界効果トランジスタ３０（Ｑ５）のソースとドレイン間が高抵抗となりソースとドレインは非接続となり、第３および第４の電界効果トランジスタ２６（Ｑ３ａ）、２７（Ｑ３ｂ）、および第１と第２のシャント用電界効果トランジスタ２８（Ｑ６）、２９（Ｑ４）のソースとドレイン間が低抵抗となりソースとドレインは接続となる。
【００６１】
この時、送受信アンテナ端子２１ｂと受信回路端子２２（Ａｎｔ１−Ｒｘ）が接続される。受信アンテナ端子２１ａと受信回路端子２２（Ａｎｔ２−Ｒｘ）は非接続となっているが、第１のシャント用電界効果トランジスタ２８（Ｑ６）が接続状態となっており、非接続となっている受信回路端子２２と受信アンテナ端子２１ａ（Ａｎｔ２−Ｒｘ）間に漏れた高周波信号は接地されるために、受信回路端子２２と受信アンテナ端子２１ａ間では高アイソレーション特性を得る事が出来る。同様に、受信アンテナ端子２１ｂと送信回路端子２３（Ａｎｔ１−Ｔｘ）は非接続となっているが、第２のシャント用電界効果トランジスタ２９（Ｑ４）が接続状態となっており、非接続となっている送信回路端子２３と送受信アンテナ端子２１ｂ（Ａｎｔ１−Ｔｘ）間に漏れた高周波信号は接地されるために、送信回路端子２３と送受信アンテナ端子２１ｂ間では高アイソレーション特性を得る事が出来る。
【００６２】
受信アンテナを用いて受信を行う時には、受信アンテナ端子２１ａと受信回路端子２２が接続され、送受信アンテナ端子２１ｂと受信回路端子２２が非接続されている必要があり、状態１を用いて行う。送受信アンテナを用いて受信を行う時には、送受信アンテナ端子２１ｂと受信回路端子２２が接続され、受信アンテナ端子２１ａと受信回路端子２２が非接続であり、送受信アンテナ端子２１ｂと送信回路端子２３が非接続である必要があり、状態２を用いて行う。送受信アンテナを用いて送信を行う時には、送受信アンテナ端子２１ｂと送信回路端子２３が接続され、送受信アンテナ端子２１ｂと受信回路端子２２が非接続である必要があり、状態１を用いて行う。
【００６３】
以上のような本発明の２×２マトリックススイッチ装置を用いることでダイバーシティ受信および送信を行う事が出来、この２×２マトリックススイッチ装置は安価に作製する事が可能である。
【００６４】
すなわち、本構成のように２つの組に分類して制御することで、スイッチ内部の制御信号線と制御端子の数を削減する事でチップ面積を低減でき、また、外部との信号線の接続も減らせることから、チップコストおよび実装コストを低減する事ができる。
【００６５】
なお、電界効果トランジスタは１段接続に限らず複数段接続／マルチゲート化してもよい。
【実施例３】
【００６６】
本発明の第３の実施例になるアンテナスイッチ装置を、図８ないし図９で説明する。  
図８が本発明の第３の実施例を示す図である。受信アンテナが接続される受信アンテナ端子２１ａと第１の電界効果トランジスタ２４のソースが接続され、受信回路が接続される受信回路端子２２と第１の電界効果トランジスタ２４のドレインが接続され、第１の電界効果トランジスタ２４のゲートは抵抗素子３１を介して第１の制御端子３８に接続される。送受信アンテナが接続される送受信アンテナ端子２１ｂと第２の電界効果トランジスタ２５のソースが接続され、送信回路が接続される送信回路端子２３と第２の電界効果トランジスタ２５のドレインが接続され、第２の電界効果トランジスタ２５のゲートは抵抗素子３２を介して第１の制御端子３８に接続される。
【００６７】
送受信アンテナが接続される送受信アンテナ端子２１ｂと第３の電界効果トランジスタ２６のソースが接続され、第３の電界効果トランジスタ２６のドレインと第４の電界効果トランジスタ２７のソースが接続され、受信回路が接続される受信回路端子２２と第４の電界効果トランジスタ２７のドレインが接続され、第３の電界効果トランジスタ２６のゲートは抵抗素子３３を介して第２の制御端子３９に接続され、第４の電界効果トランジスタ２７のゲートは抵抗素子３４を介して第２の制御端子３９に接続される。
【００６８】
受信アンテナ端子２１ａと第１の電界効果トランジスタ２４のソース間に第１のシャント用電界効果トランジスタ２８のソースが容量素子４３を介して接続され、第１のシャント用電界効果トランジスタ２８のドレインは容量素子４４を介して接地され、第１のシャント用電界効果トランジスタ２８のゲートは抵抗素子３５を介して接地され、第１のシャント用電界効果トランジスタ２８のソースは抵抗素子４２を介して第１の制御端子３８に接続される。送信回路端子２３と第２の電界効果トランジスタ２５のドレイン間に第２のシャント用電界効果トランジスタ２９のソースが容量素子４５を介して接続され、第２のシャント用電界効果トランジスタ２９のドレインは容量素子４６を介して接地され、第２のシャント用電界効果トランジスタ２９のゲートは抵抗素子３６を介して接地され、第２のシャント用電界効果トランジスタ２９のソースは抵抗素子４１を介して第１の制御端子３８に接続される。
【００６９】
第３の電界効果トランジスタ２６のドレインと第４の電界効果トランジスタ２７のソース間に第３のシャント用電界効果トランジスタ３０のソースが容量素子４７を介して接続され、第３のシャント用電界効果トランジスタ３０のドレインは容量４８を介して接地され、第３のシャント用電界効果トランジスタ３０のゲートは抵抗素子３７を介して接地され、第３のシャント用電界効果トランジスタ３０のソースは抵抗素子４２の第２の制御端子３９に接続される。
【００７０】
本実施例の２×２マトリックスアンテナスイッチ装置も、図４に示したようなフロントエンド部を有する送受信機に適用される。この例でも、送信時には、受信部のＬＮＡの誤動作/破壊を防ぐ為にＬＮＡの電源が切断される。
【００７１】
なお、抵抗素子３１〜３７および４０〜４２は制御線と高周波信号とを絶縁するための素子であり、この目的を満たせば図８の接続の仕方に限らず本発明は有効である。
【００７２】
次に、図９で本発明の第３の実施例の動作状態を説明する。  
本発明のアンテナスイッチ装置は以下に示す２つの状態をとる。  
第１の状態では、制御端子３８には制御信号（ＣＴＬ１）としてＨ（例えば３Ｖ）が、制御端子３９には制御信号（ＣＴＬ２）としてＬ（例えば０Ｖ）が印加される。この時、抵抗素子３１を介して第１の電界効果トランジスタ２４のゲートに制御信号Ｈが印加され、抵抗素子３２を介して第２の電界効果トランジスタ２５のゲートに制御信号Ｈが印加され、抵抗素子３３を介して第３の電界効果トランジスタ２６のゲートに制御信号Ｌが印加され、抵抗素子３４を介して第４の電界効果トランジスタ２７のゲートに制御信号Ｌが印加され、第１および第２の電界効果トランジスタ２４と２５のソースとドレイン間は低抵抗となりソースとドレインは接続となり、第３および第４の電界効果トランジスタ２６と２７のソースとドレイン間は高抵抗となりソースとドレインは非接続となる。
【００７３】
また、第１および第２のシャント用電界効果トランジスタ２８と２９は、各々のゲートが抵抗素子３５および３６を介して接地されており、また、各々のソースに抵抗素子４０および４１を介して制御信号Ｈが印加されている。従って、ゲートがソースに対して閾値以下にバイアスされるためにソースとドレイン間が高抵抗となりソースとドレインは非接続となる。第３のシャント用電界効果トランジスタ３０は、ゲートが抵抗素子３７を介して接地されており、ソースが抵抗素子４２を介して制御信号Ｌが印加される。従って、ゲートがソースに対して閾値以上にバイアスされるためにソースとドレイン間が低抵抗となりソースとドレインは接続する。
【００７４】
この時、受信アンテナ端子２１ａと受信回路端子２２（Ａｎｔ２−Ｒｘ）が接続され、送受信アンテナ端子２１ｂと送信回路端子２３（Ａｎｔ１−Ｔｘ）も接続される。受信回路端子２２と送受信アンテナ端子２１ｂ（Ａｎｔ１−Ｒｘ）は非接続となっているが、第３のシャント用電界効果トランジスタ３０が接続状態となっており、非接続となっている受信回路端子２２と送受信アンテナ端子２１ｂ間に漏れた高周波信号は接地されるために、受信回路端子２２と送受信アンテナ端子２１ｂ間では高アイソレーション特性を得る事が出来る。
【００７５】
第２の状態では、制御端子３８には制御信号Ｌ（例えば０Ｖ）が、制御端子３９には制御信号Ｈ（例えば３Ｖ）が印加される。この時、抵抗素子３１を介して第１の電界効果トランジスタ２４のゲートにも制御信号Ｌが印加され、抵抗素子３２を介して第２の電界効果トランジスタ２５のゲートには制御信号Ｌが印加され、抵抗素子３３を介して第３の電界効果トランジスタ２６のゲートに制御信号Ｈが印加され、抵抗素子３４を介して第４の電界効果トランジスタ２７のゲートに制御信号Ｈが印加され、第１および第２の電界効果トランジスタ２４と２５のソースとドレイン間は高抵抗となりソースとドレインは非接続となり、第３および第４の電界効果トランジスタ２６と２７のソースとドレイン間は低抵抗となりソースとドレインは接続となる。
【００７６】
また、第１および第２のシャント用電界効果トランジスタ２８と２９は、各々のゲートが抵抗素子３５および３６を介して接地されており、また、各々のソースに抵抗素子４０および４１を介して制御信号Ｌが印加されている。従って、ゲートがソースに対して閾値以上にバイアスされるためにソースとドレイン間が低抵抗となりソースとドレインは接続となる。
【００７７】
第３のシャント用電界効果トランジスタ３０は、ゲートが抵抗素子３７を介して接地されており、ソースが抵抗素子４２を介して制御信号Ｈが印加される。従って、ゲートがソースに対して閾値以下にバイアスされるためにソースとドレイン間が高抵抗となりソースとドレインは非接続となる。
【００７８】
この時、送受信アンテナ端子２１ｂと受信回路端子２２（Ａｎｔ１−Ｒｘ）が接続される。受信回路端子２２と受信アンテナ端子２１ａ（Ａｎｔ２−Ｒｘ）は非接続となっているが、第１のシャント用電界効果トランジスタ２８が接続状態となっており、非接続となっている受信回路端子２２と受信アンテナ端子２１ａ間に漏れた高周波信号は接地されるために、受信回路端子２２と受信アンテナ端子２１ａ間では高アイソレーション特性を得る事が出来る。同様に、送信回路端子２３と受信アンテナ端子２１ｂ（Ａｎｔ１−Ｔｘ）は非接続となっているが、第２のシャント用電界効果トランジスタ２９が接続状態となっており、非接続となっている送信回路端子２３と送受信アンテナ端子２１ｂ間に漏れた高周波信号は接地されるために、送信回路端子２３と送受信アンテナ端子２１ｂ間では高アイソレーション特性を得る事が出来る。
【００７９】
受信アンテナを用いて受信を行う時には、受信アンテナ端子２１ａと受信回路端子２２が接続され、送受信アンテナ端子２１ｂと受信回路端子２２が非接続されている必要があり、状態１を用いて行う。送受信アンテナを用いて受信を行う時には、送受信アンテナ端子２１ｂと受信回路端子２２が接続され、受信アンテナ端子２１ａと受信回路端子２２が非接続であり、送受信アンテナ端子２１ｂと送信回路端子２３が非接続である必要があり、状態２を用いて行う。送受信アンテナを用いて送信を行う時には、送受信アンテナ端子２１ｂと送信回路端子２３が接続され、送受信アンテナ端子２１ｂと受信回路端子２２が非接続である必要があり、状態１を用いて行う。
【００８０】
以上のような本発明の２×２マトリックススイッチ装置を用いることでダイバーシティ受信および送信を行う事が出来、この２×２マトリックススイッチ装置は安価に作製する事が可能である。
【００８１】
すなわち、本構成のように３つの送受信経路を２つの組に分類して制御することで、スイッチ内部の制御信号線と制御端子の数を削減する事でチップ面積を低減でき、また、外部との信号線の接続も減らせることから、チップコストおよび実装コストを低減する事ができる。
【００８２】
なお、電界効果トランジスタは１段接続に限らず複数段接続／マルチゲート化してもよい。また、電界効果トランジスタ２は２段以上接続されていればよく、３段以上接続した場合には、シャント用の電界効果トランジスタは段間に１個以上接続されていればよい。
【実施例４】
【００８３】
本発明のアンテナスイッチ装置は、２×２マトリックスアンテナスイッチ装置に限定されるものではない。３本以上のアンテナを有し、ダイバーシティ受信および送信を行うアンテナスイッチ装置であって、かつ、送信時には受信部内の低雑音増幅器(ＬＮＡ)の電源が切られる構成であれば、同様に本発明を適用することで、コスト低減の効果がある。
【００８４】
本発明の第４の実施例として、３本のアンテナを有しダイバーシティ受信および送信を行うアンテナスイッチ装置を、図１０Ａないし図１０Ｂで説明する。本実施例では、３本のアンテナと１つの受信アンテナ端子Ｒｘ及び１つの送信回路端子Ｔｘ間を接続する４つの経路、すなわち、Ｒｘ−ＳＷ１−Ａｎｔ１(第一の受信アンテナ)、Ｒｘ−ＳＷ４−Ａｎｔ２(第二の受信アンテナ)、Ｒｘ−ＳＷ３−Ａｎｔ３((送受信アンテナ端子)、Ｔｘ−ＳＷ２−Ａｎｔ３の間の４つの経路を、３つの組（（Ｒｘ−ＳＷ１−Ａｎｔ１とＴｘ−ＳＷ２−Ａｎｔ３）、Ｒｘ−ＳＷ３−Ａｎｔ３、及びＲｘ−ＳＷ４−Ａｎｔ２）に分類し、各組を３つの制御信号（ＣＴＬ１、ＣＴＬ２、ＣＴＬ３）で制御する構成としている。すなわち、以下に述べるように、４つの経路を３個の制御系で制御することができるように構成されている。
【００８５】
３本のアンテナに対応する各アンテナ端子のうち、第１の受信アンテナ端子(Ａｎｔ１)と受信回路端子(Ｒｘ)間に接続／非接続を切り替えるFET等の第１のスイッチ（ＳＷ１）が設けられ、送受信アンテナ端子(Ａｎｔ３)と送信回路端子(Ｔｘ)間に接続／非接続を切り替えるFET等の第２のスイッチ（ＳＷ２）が設けられている。また、送受信アンテナ端子(Ａｎｔ３)と受信回路端子(Ｒｘ)間に接続／非接続を切り替えるFET等の第３のスイッチ（ＳＷ３）が設けられ、第２の受信アンテナ端子(Ａｎｔ２)と受信回路端子(Ｒｘ)間に接続／非接続を切り替えるFET等の第４のスイッチ（ＳＷ４）が設けられている。第１の制御端子が第１のスイッチ（ＳＷ１）と第２のスイッチ（ＳＷ２）に接続され、第２の制御端子が第３のスイッチ（ＳＷ３）に接続され、第３の制御端子が第４のスイッチ（ＳＷ４）に接続されている。なお、このスイッチ装置を用いる送受信機のフロントエンド部５０としては、例えば、図４の構成と同じもので良い。
【００８６】
Ｒｘ−Ａｎｔ１とＴｘ−Ａｎｔ３が同時にオンとなっても良いので、第１のスイッチ（ＳＷ１）と第２のスイッチ（ＳＷ２）は同じ動作をする。すなわち、３本のアンテナと１つの受信アンテナ端子Ｒｘ及び１つの送信回路端子Ｔｘ間に形成される４つの送受信経路を３つの組に分類して制御することで、スイッチ内部の制御信号線と制御端子の数を削減できる。これにより、チップ面積を低減でき、また、外部との信号線の接続も減らせることから、チップコストおよび実装コストを低減する事ができる。
【００８７】
なお、Ａｎｔ１とＡｎｔ２は同じ役割（受信のみ）なので、第１のスイッチ（ＳＷ１）と第４のスイッチ（ＳＷ４）を入れ替えても同じ効果がある。
【実施例５】
【００８８】
本発明は、上記各実施例と同様に送信時に受信部内の低雑音増幅器(ＬＮＡ)の電源が切られる構成であれば、アンテナの数が４本以上の場合でも実施可能である。例えば、アンテナの数が４本の場合、４本のアンテナと１つの受信アンテナ端子Ｒｘ及び１つの送信回路端子Ｔｘ間を接続する５つの経路、すなわち、Ｒｘ−ＳＷ１−Ａｎｔ１(第一の受信アンテナ)、Ｔｘ−ＳＷ２−Ａｎｔ４(送受信アンテナ端子)、Ｒｘ−ＳＷ３−Ａｎｔ４、Ｒｘ−ＳＷ４−Ａｎｔ２(第二の受信アンテナ)、Ｒｘ−ＳＷ５−Ａｎｔ３(第三の受信アンテナ)の間の５つの経路を、４つの組（（Ｒｘ−ＳＷ１−Ａｎｔ１とＴｘ−ＳＷ２−Ａｎｔ４）、Ｒｘ−ＳＷ３−Ａｎｔ４、Ｒｘ−ＳＷ４−Ａｎｔ２、Ｒｘ−ＳＷ５−Ａｎｔ３）に分類し、これらの各組を４つの制御信号（ＣＴＬ１、ＣＴＬ２、ＣＴＬ３、ＣＴＬ４）で制御する。
【００８９】
この場合、Ｒｘ−Ａｎｔ１とＴｘ−Ａｎｔ４が同時にオンとなっても良いので、第１のスイッチ（ＳＷ１）と第２のスイッチ（ＳＷ２）は同じ動作をする。すなわち、４本のアンテナと１つの受信アンテナ端子Ｒｘ及び１つの送信回路端子Ｔｘ間に形成される５つの送受信経路を４つの組に分類して制御することができる。
【００９０】
ここで、本発明の第５の実施例として、ｎ本のアンテナを有しダイバーシティ受信および送信を行うアンテナスイッチ装置を、図１１Ａないし図１１Ｂで説明する（ただし、ｎ≧２）。  
本実施例では、ｎ本のアンテナと１つの受信アンテナ端子Ｒｘ及び１つの送信回路端子Ｔｘ間を接続するｎ＋１の経路を、ｎ個の組に分類し、その中の（Ｒｘ−ＳＷ１−Ａｎｔ１とＴｘ−ＳＷ２−Ａｎｔ(n)を同じ制御信号で制御するように構成されている。Ｒｘ−Ａｎｔ１とＴｘ−Ａｎｔ(n)は同時にオンとなっても良いので、これら２つの経路のスイッチは同じ動作をする。すなわち、ｎ本のアンテナと１つの受信アンテナ端子Ｒｘ及び１つの送信回路端子Ｔｘ間に形成されるｎ＋１の送受信経路をｎ個の組に分類してｎ個の制御系とすることで、スイッチ内部の制御信号線と制御端子の数を削減できる。これにより、チップ面積を低減でき、また、外部との信号線の接続も減らせることから、チップコストおよび実装コストを低減する事ができる。
【００９１】
なお、Ａｎｔ１、Ａｎｔ２、・・・、Ａｎｔ(n−１)は同じ役割（受信のみ）なので、入れ替えても同じ効果がある。
【００９２】
また、以上述べた各実施例におけるアンテナスイッチ装置は、無線ＬＡＮ端末などのダイバーシティ受信を行う送受信機に用いる事ができる。
【００９３】
なお、送受信機が全体として２組以上の送受信アンテナを備え２組以上のダイバーシティ受信を行う機能を有する送受信機である場合には、各組に対応するアンテナスイッチ装置部が、ｎ本のアンテナと１つの受信アンテナ端子Ｒｘ及び１つの送信回路端子Ｔｘという組み合わせを有する構成とすることで、同様な効果が得られる。
【図面の簡単な説明】
【００９４】
【図１】本発明の第１の実施例になるアンテナスイッチ装置を示す回路図である。
【図２】本発明の第１の実施例を採用した２×２マトリックアンテナスイッチ装置の構成例を示した図である。
【図３Ａ】第１の実施例の動作説明のための回路の模式図である。
【図３Ｂ】第１の実施例の動作時の各要素の状態を示す図である。
【図４】本発明の第１の実施例のアンテナスイッチ装置を用いた送受信機のフロントエンド部を示す図である。
【図５】本発明の第１の実施例の送受信機の動作を示すフローチャートである。
【図６】本発明によるアンテナスイッチ装置の第２の実施例の回路図である。
【図７Ａ】第２の実施例の動作説明のための回路の模式図である。
【図７Ｂ】第２の実施例の動作時の各要素の状態を示す図である。
【図８】本発明によるアンテナスイッチ装置の第３の実施例の回路図である。
【図９】第３の実施例の動作時の各要素の状態を示す図である。
【図１０Ａ】本発明によるアンテナスイッチ装置の第４の実施例の回路図である。
【図１０Ｂ】第４の実施例の動作時の各要素の状態を示す図である。
【図１１Ａ】本発明によるアンテナスイッチ装置の第５の実施例の回路図である。
【図１１Ｂ】第５の実施例の動作時の各要素の状態を示す図である。
【図１２】非特許文献１記載のDPDTアンテナスイッチ装置を示した図である。
【図１３】特許文献１記載の２×２マトリックアンテナスイッチ装置の回路図である。
【図１４】特許文献１記載の発明の動作時の各要素の状態を示す図である。
【符号の説明】
【００９５】
１ａ  受信アンテナ端子
１ｂ  送受信アンテナ端子
２  受信回路端子
３  送信回路端子
４  第１のスイッチ（第１の電界効果トランジスタ）
５  第２のスイッチ（第２の電界効果トランジスタ）
６  第３のスイッチ（第３の電界効果トランジスタ）
７−９  抵抗素子
１２  ２×２マトリックスアンテナスイッチ装置
１３  受信回路
１４  送信回路
１６ａ  受信アンテナ
１６ｂ  送受信アンテナ
２１ａ  受信アンテナ端子
２１ｂ  送受信アンテナ端子
２２  受信回路端子
２３  送信回路端子
２４  第１の電界効果トランジスタ
２５  第２の電界効果トランジスタ
２６  第３の電界効果トランジスタ
２７  第４の電界効果トランジスタ
２８  第１のシャント用電界効果トランジスタ
２９  第２のシャント用電界効果トランジスタ
３０  第３のシャント用電界効果トランジスタ
３１−３７、４０−４２  抵抗素子
３８  第１の制御端子
３９  第２の制御端子
４３−４８  容量素子
５０  フロントエンド部
５６  受信部
５７  送信部
５６  受信部
５７  送信部
５８  モデム
５９  ベースバンド処理部
６１  メモリ
１００  DPDTアンテナスイッチ装置
１０１ａ  第１のアンテナ
１０１ｂ  第２のアンテナ
１０２  受信回路
１０３  送信回路
１０４  制御回路
１０５  受信回路端子
１０５ａ、１０５ｂ  第１のアンテナ端子
１０６  送信回路端子
１０６ａ、１０６ｂ  第２のアンテナ端子
１０７ａ、１０７ｂ、１０８ａ、１０８ｂ  制御端子
１０９  伝送線路交差部分
１２１ａ  受信アンテナ
１２１ｂ  送受信アンテナ
１２２  受信回路
１２３  送信回路
１２４  制御回路
１２５  受信回路端子
１２５ａ  受信アンテナ端子
１２６  送信回路端子
１２６ａ、１２６ｂ  送信アンテナ端子
１２７ａ、１２７ｂ、１２７Ｃ  制御端子
２００  ２×２マトリックスアンテナスイッチ装置
２０１ａ  受信アンテナ端子
２０１ｂ  送受信アンテナ端子
２０２  受信回路端子
２０３  送信回路端子
２０４  第１の電界効果トランジスタ
２０５  第２の電界効果トランジスタ
２０６  第３の電界効果トランジスタ
２０７  第１のシャント用電界効果トランジスタ
２０８  第２のシャント用電界効果トランジスタ
２０９−２１３  抵抗素子
２１４−２１８  制御端子。
【図１】
2008067161.tif 000005
【図２】
2008067161.tif 000006
【図３Ａ】
2008067161.tif 000007
【図３Ｂ】
2008067161.tif 000008
【図４】
2008067161.tif 000009
【図５】
2008067161.tif 000010
【図６】
2008067161.tif 000011
【図７Ａ】
2008067161.tif 000012
【図７Ｂ】
2008067161.tif 000013
【図８】
2008067161.tif 000014
【図９】
2008067161.tif 000015
【図１０Ａ】
2008067161.tif 000016
【図１０Ｂ】
2008067161.tif 000017
【図１１Ａ】
2008067161.tif 000018
【図１１Ｂ】
2008067161.tif 000019
【図１２】
2008067161.tif 000020
【図１３】
2008067161.tif 000021
【図１４】
2008067161.tif 000022